【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
サービング基地局から、１つまたは複数のワイヤレスローカルエリアネットワーク（ＷＬＡＮ）アクセスポイント（ＡＰ）を測定するようにとの要求を受信することと、
前記要求に基づいて前記ＷＬＡＮ  ＡＰについての１つまたは複数のメトリックを判断することと、
前記ＷＬＡＮ  ＡＰについての前記メトリックをしきい値と比較することと、
前記ＷＬＡＮ  ＡＰのうちの少なくとも第１のＡＰを報告することと
を備える、方法。
【請求項２】
前記第１のＡＰを報告したときに、
データ送信をセルラーネットワークから前記第１のＡＰにオフロードするための無線リソース制御、ＲＲＣ、コマンドを受信することと、または前記第１のＡＰに関する追加情報を報告するようにとの構成要求を受信することと
をさらに備える、請求項１に記載の方法。
【請求項３】
前記ＲＲＣコマンドを受信したときに、前記第１のＡＰに関連付けることをさらに備える、請求項２に記載の方法。
【請求項４】
前記第１のＡＰに関する前記追加情報を報告することが、前記第１のＡＰとのアクセスネットワーククエリプロトコル（ＡＮＱＰ）を実行することを備える、請求項２に記載の方法。
【請求項５】
前記第１のＡＰについての前記メトリックがしきい値を下回る場合、前記ＷＬＡＮ  ＡＰのうちの前記第１のＡＰを報告すること
をさらに備える、請求項１に記載の方法。
【請求項６】
前記第１のＡＰについて報告したときに、
前記第１のＡＰとの関連付けを解除するための無線リソース制御（ＲＲＣ）コマンドを受信すること
をさらに備える、請求項５に記載の方法。
【請求項７】
前記第１のＡＰとの関連付けを解除することが、データ送信を前記第１のＡＰからセルラーネットワークにオフロードすることを備える、請求項６に記載の方法。
【請求項８】
前記サービング基地局がＷＬＡＮおよび無線アクセスネットワーク、ＲＡＮ、インターワーキングをサポートするかどうかを判断することと、
前記判断に基づいて、送信をＷＬＡＮ  ＡＰと関連付けるかまたは交換する前に前記サービング基地局にアクセスするかどうかを判断することと
をさらに備える、請求項１に記載の方法。
【請求項９】
基地局によるワイヤレス通信のための方法であって、
ユーザ機器、ＵＥ、に、１つまたは複数のワイヤレスローカルエリアネットワーク、ＷＬＡＮ、アクセスポイント、ＡＰ、を測定するようにとの要求を送信することと、
前記ＷＬＡＮ  ＡＰのうちの少なくとも第１のＡＰについての報告を受信することと
を備える、方法。
【請求項１０】
前記報告が、前記メトリックのうちの１つまたは複数と前記第１のＡＰの識別子、または前記ＵＥがすでに前記第１のＡＰに接続されているとの指示を備える、請求項１または９に記載の方法。
【請求項１１】
測定するようにとの前記要求が、前記ＷＬＡＮ  ＡＰについての広告のタイミングの指示を備える、請求項１または９に記載の方法。
【請求項１２】
前記第１のＡＰについての前記報告を受信したときに、
データ送信をセルラーネットワークから前記第１のＡＰにオフロードするための無線リソース制御（ＲＲＣ）コマンドを送信すること
をさらに備える、請求項９に記載の方法。
【請求項１３】
前記ＲＲＣコマンドが前記第１のＡＰの識別子、または前記セルラーネットワークから前記第１のＡＰにオフロードするためのインターネットプロトコル（ＩＰ）フロー、ベアラ、またはアクセスポイント名（ＡＰＮ）トラフィックを備える、請求項２または１２に記載の方法。
【請求項１４】
オフロードするための前記ＩＰフローまたは前記ＡＰＮトラフィックが、シームレス接続性または非シームレス接続性のうちの１つまたは複数として指定される、請求項１３に記載の方法。
【請求項１５】
前記シームレス接続性がインターネットプロトコルフローモビリティ（ＩＦＯＭ）または多重アクセスパケットデータネットワーク接続性（ＭＡＰＣＯＮ）を備える、請求項１４に記載の方法。
【請求項１６】
前記第１のＡＰについての前記報告を受信したときに、
データ送信をサービングＷＬＡＮ  ＡＰから前記第１のＡＰにオフロードするための無線リソース制御（ＲＲＣ）コマンドを送信することと、または前記第１のＡＰに関する追加情報が必要とされるかどうかを判断することと、
前記追加情報が必要とされると判断したときに、前記ＵＥに、前記第１のＡＰに関する追加情報を報告するようにとの構成要求を送信することと
をさらに備える、請求項９に記載の方法。
【請求項１７】
前記追加情報が、前記第１のＡＰと前記基地局との間のバックホールリンクを介して取得される、またはサーバから取得される、請求項１６に記載の方法。
【請求項１８】
ユーザ機器（ＵＥ）によるワイヤレス通信のための装置であって、
請求項１から８に記載の方法のうちの任意の１つのステップを実行するために構成される手段
を備える、装置。
【請求項１９】
基地局によるワイヤレス通信のための装置であって、
請求項９から１７に記載の方法のうちの任意の１つのステップを実行するために構成される手段
を備える、装置。
【請求項２０】
ユーザ機器（ＵＥ）によるワイヤレス通信のためのコンピュータプログラム製品であって、請求項１から８に記載の方法のうちの任意の１つのステップを実行するために構成される命令を記憶したコンピュータ可読媒体を備える、コンピュータプログラム製品。
【請求項２１】
基地局によるワイヤレス通信のためのコンピュータプログラム製品であって、請求項９から１７に記載の方法のうちの任意の１つのステップを実行するために構成される命令を記憶したコンピュータ可読媒体を備える、コンピュータプログラム製品。
【手続補正２】
【補正対象書類名】明細書
【補正対象項目名】０１１９
【補正方法】変更
【補正の内容】
【０１１９】
[0119]上記は本開示の態様を対象とするが、本開示の他の態様およびさらなる態様は、それらの基本的範囲から逸脱することなく考案され得、それらの範囲は以下の特許請求の範囲によって判断される。
以下に、本願出願の当初の特許請求の範囲に記載された発明を付記する。
［Ｃ１］
ユーザ機器（ＵＥ）によるワイヤレス通信のための方法であって、
サービング基地局から、１つまたは複数のワイヤレスローカルエリアネットワーク（ＷＬＡＮ）アクセスポイント（ＡＰ）を測定するようにとの要求を受信することと、
前記要求に基づいて前記ＷＬＡＮ  ＡＰについての１つまたは複数のメトリックを判断することと、
前記ＷＬＡＮ  ＡＰについての前記メトリックをしきい値と比較することと、
前記ＷＬＡＮ  ＡＰのうちの少なくとも第１のＡＰを報告することと
を備える、方法。
［Ｃ２］
前記報告が、前記メトリックのうちの１つまたは複数と前記第１のＡＰの識別子とを備える、Ｃ１に記載の方法。
［Ｃ３］
測定するようにとの前記要求が、前記ＷＬＡＮ  ＡＰについての広告のタイミングの指示を備える、Ｃ１に記載の方法。
［Ｃ４］
前記報告することが、
前記ＵＥがすでに前記第１のＡＰに接続されていることを報告すること
をさらに備える、Ｃ１に記載の方法。
［Ｃ５］
前記第１のＡＰを報告したときに、
データ送信をセルラーネットワークから前記第１のＡＰにオフロードするための無線リソース制御（ＲＲＣ）コマンドを受信すること
をさらに備える、Ｃ１に記載の方法。
［Ｃ６］
前記ＲＲＣコマンドを受信したときに、前記第１のＡＰに関連付けることをさらに備える、Ｃ５に記載の方法。
［Ｃ７］
前記ＲＲＣコマンドが前記第１のＡＰの識別子を備える、Ｃ５に記載の方法。
［Ｃ８］
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、Ｃ５に記載の方法。
［Ｃ９］
オフロードするための前記ＩＰフローまたは前記ＡＰＮトラフィックが、シームレス接続性または非シームレス接続性のうちの１つまたは複数として指定される、Ｃ８に記載の方法。
［Ｃ１０］
前記シームレス接続性がインターネットプロトコルフローモビリティ（ＩＦＯＭ）または多重アクセスパケットデータネットワーク接続性（ＭＡＰＣＯＮ）を備える、Ｃ９に記載の方法。
［Ｃ１１］
データ送信を前記第１のＡＰにオフロードすることであって、どのデータ送信が前記セルラーネットワークから前記第１のＡＰにオフロードされるかを判断することが、コアネットワーク（ＣＮ）からのポリシーに基づく、オフロードすることをさらに備える、Ｃ５に記載の方法。
［Ｃ１２］
前記第１のＡＰを報告したときに、
前記第１のＡＰに関する追加情報を報告するようにとの構成要求を受信すること
をさらに備える、Ｃ１に記載の方法。
［Ｃ１３］
前記第１のＡＰに関する前記追加情報を報告することが、前記第１のＡＰとのアクセスネットワーククエリプロトコル（ＡＮＱＰ）を実行することを備える、Ｃ１２に記載の方法。
［Ｃ１４］
前記第１のＡＰについての前記メトリックがしきい値を下回る場合、前記ＷＬＡＮ  ＡＰのうちの前記第１のＡＰを報告すること
をさらに備える、Ｃ１に記載の方法。
［Ｃ１５］
前記第１のＡＰについて報告したときに、
前記第１のＡＰとの関連付けを解除するための無線リソース制御（ＲＲＣ）コマンドを受信すること
をさらに備える、Ｃ１４に記載の方法。
［Ｃ１６］
前記第１のＡＰとの関連付けを解除することが、データ送信を前記第１のＡＰからセルラーネットワークにオフロードすることを備える、Ｃ１５に記載の方法。
［Ｃ１７］
前記１つまたは複数のＷＬＡＮ  ＡＰについての前記１つまたは複数のメトリックを判断することが、前記ＷＬＡＮ  ＡＰからビーコンまたはプローブ応答中で情報要素（ＩＥ）を受信することを備える、Ｃ１に記載の方法。
［Ｃ１８］
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、Ｃ２に記載の方法。
［Ｃ１９］
前記１つまたは複数のＷＬＡＮ  ＡＰが特定のＷＬＡＮチャネルまたはＷＬＡＮ帯域に対応する、Ｃ１に記載の方法。
［Ｃ２０］
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ１に記載の方法。
［Ｃ２１］
前記第１のＡＰについての前記メトリックが前記しきい値を超える、Ｃ１に記載の方法。
［Ｃ２２］
前記サービング基地局がＷＬＡＮおよび無線アクセスネットワーク（ＲＡＮ）インターワーキングをサポートするかどうかを判断することと、
前記判断に基づいて、送信をＷＬＡＮ  ＡＰと関連付けるかまたは交換する前に前記サービング基地局にアクセスするかどうかを判断することと
をさらに備える、Ｃ１に記載の方法。
［Ｃ２３］
基地局によるワイヤレス通信のための方法であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することと
を備える、方法。
［Ｃ２４］
前記報告が、前記メトリックのうちの１つまたは複数と前記第１のＡＰの識別子とを備える、Ｃ２３に記載の方法。
［Ｃ２５］
測定するようにとの前記要求が、前記ＷＬＡＮ  ＡＰについての広告のタイミングの指示を備える、Ｃ２３に記載の方法。
［Ｃ２６］
前記報告は、前記ＵＥがすでに前記第１のＡＰに接続されているとの指示を備える、Ｃ２３に記載の方法。
［Ｃ２７］
前記第１のＡＰについての前記報告を受信したときに、
データ送信をセルラーネットワークから前記第１のＡＰにオフロードするための無線リソース制御（ＲＲＣ）コマンドを送信すること
をさらに備える、Ｃ２３に記載の方法。
［Ｃ２８］
前記ＲＲＣコマンドが前記第１のＡＰの識別子を備える、Ｃ２７に記載の方法。
［Ｃ２９］
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、Ｃ２７に記載の方法。
［Ｃ３０］
オフロードするための前記ＩＰフローまたは前記ＡＰＮトラフィックが、シームレス接続性または非シームレス接続性のうちの１つまたは複数として指定される、Ｃ２９に記載の方法。
［Ｃ３１］
前記シームレス接続性がインターネットプロトコルフローモビリティ（ＩＦＯＭ）または多重アクセスパケットデータネットワーク接続性（ＭＡＰＣＯＮ）を備える、Ｃ３０に記載の方法。
［Ｃ３２］
前記セルラーネットワークから前記第１のＡＰにオフロードされる前記送信が、コアネットワーク（ＣＮ）からの静的ポリシーに基づく、Ｃ２７に記載の方法。
［Ｃ３３］
前記第１のＡＰについての前記報告を受信したときに、
データ送信をサービングＷＬＡＮ  ＡＰから前記第１のＡＰにオフロードするための無線リソース制御（ＲＲＣ）コマンドを送信すること
をさらに備える、Ｃ２３に記載の方法。
［Ｃ３４］
前記第１のＡＰについての前記報告を受信したときに、
前記第１のＡＰに関する追加情報が必要とされるかどうかを判断することと、
前記追加情報が必要とされると判断したときに、前記ＵＥに、前記第１のＡＰに関する追加情報を報告するようにとの構成要求を送信することと
をさらに備える、Ｃ２３に記載の方法。
［Ｃ３５］
前記第１のＡＰが前記基地局とコロケートされている場合、前記第１のＡＰに関する前記追加情報が必要とされない、Ｃ３４に記載の方法。
［Ｃ３６］
前記追加情報が、前記第１のＡＰと前記基地局との間のバックホールリンクを介して取得される、Ｃ３４に記載の方法。
［Ｃ３７］
前記第１のＡＰに関する前記追加情報がサーバから取得される、Ｃ３４に記載の方法。
［Ｃ３８］
前記第１のＡＰについての測定値がしきい値を下回る場合、前記ＷＬＡＮ  ＡＰのうちの前記第１のＡＰの報告を受信すること
をさらに備える、Ｃ２３に記載の方法。
［Ｃ３９］
前記第１のＡＰについての前記報告を受信したときに、
前記第１のＡＰとの関連付けを解除するための無線リソース制御（ＲＲＣ）コマンドを送信すること
をさらに備える、Ｃ３８に記載の方法。
［Ｃ４０］
前記第１のＡＰとの関連付けを解除することが、データ送信を前記第１のＡＰからセルラーネットワークにオフロードすることを備える、Ｃ３９に記載の方法。
［Ｃ４１］
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、Ｃ２４に記載の方法。
［Ｃ４２］
前記１つまたは複数のＷＬＡＮ  ＡＰが特定のＷＬＡＮチャネルまたはＷＬＡＮ帯域に対応する、Ｃ２３に記載の方法。
［Ｃ４３］
前記１つまたは複数のＷＬＡＮ  ＡＰが、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ２３に記載の方法。
［Ｃ４４］
前記第１のＡＰについての測定値がしきい値を超える、Ｃ２３に記載の方法。
［Ｃ４５］
ユーザ機器（ＵＥ）によるワイヤレス通信のための装置であって、
サービング基地局から、１つまたは複数のワイヤレスローカルエリアネットワーク（ＷＬＡＮ）アクセスポイント（ＡＰ）を測定するようにとの要求を受信するための手段と、
前記要求に基づいて前記ＷＬＡＮ  ＡＰについての１つまたは複数のメトリックを判断するための手段と、
前記ＷＬＡＮ  ＡＰについての前記メトリックをしきい値と比較するための手段と、
前記ＷＬＡＮ  ＡＰのうちの少なくとも第１のＡＰを報告するための手段と
を備える、装置。
［Ｃ４６］
前記報告が、前記メトリックのうちの１つまたは複数と前記第１のＡＰの識別子とを備える、Ｃ４５に記載の装置。
［Ｃ４７］
測定するようにとの前記要求が、前記ＷＬＡＮ  ＡＰについての広告のタイミングの指示を備える、Ｃ４５に記載の装置。
［Ｃ４８］
報告するための前記手段が、
前記ＵＥがすでに前記第１のＡＰに接続されていることを報告するための手段
をさらに備える、Ｃ４５に記載の装置。
［Ｃ４９］
前記第１のＡＰを報告したときに、データ送信をセルラーネットワークから前記第１のＡＰにオフロードするための無線リソース制御（ＲＲＣ）コマンドを受信するための手段
をさらに備える、Ｃ４５に記載の装置。
［Ｃ５０］
前記ＲＲＣコマンドを受信したときに、前記第１のＡＰに関連付けるための手段をさらに備える、Ｃ４９に記載の装置。
［Ｃ５１］
前記ＲＲＣコマンドが前記第１のＡＰの識別子を備える、Ｃ４９に記載の装置。
［Ｃ５２］
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、Ｃ４９に記載の装置。
［Ｃ５３］
オフロードするための前記ＩＰフローまたは前記ＡＰＮトラフィックが、シームレス接続性または非シームレス接続性のうちの１つまたは複数として指定される、Ｃ５２に記載の装置。
［Ｃ５４］
前記シームレス接続性がインターネットプロトコルフローモビリティ（ＩＦＯＭ）または多重アクセスパケットデータネットワーク接続性（ＭＡＰＣＯＮ）を備える、Ｃ５３に記載の装置。
［Ｃ５５］
データ送信を前記第１のＡＰにオフロードするための手段であって、どのデータ送信が前記セルラーネットワークから前記第１のＡＰにオフロードされるかを判断することが、コアネットワーク（ＣＮ）からのポリシーに基づく、オフロードするための手段をさらに備える、Ｃ４９に記載の装置。
［Ｃ５６］
前記第１のＡＰを報告したときに、前記第１のＡＰに関する追加情報を報告するようにとの構成要求を受信するための手段
をさらに備える、Ｃ４５に記載の装置。
［Ｃ５７］
前記第１のＡＰに関する前記追加情報を報告するための前記手段が、前記第１のＡＰとのアクセスネットワーククエリプロトコル（ＡＮＱＰ）を実行するための手段を備える、Ｃ５６に記載の装置。
［Ｃ５８］
前記第１のＡＰについての前記メトリックがしきい値を下回る場合、前記ＷＬＡＮ  ＡＰのうちの前記第１のＡＰを報告するための手段
をさらに備える、Ｃ４５に記載の装置。
［Ｃ５９］
前記第１のＡＰについて報告したときに、前記第１のＡＰとの関連付けを解除するための無線リソース制御（ＲＲＣ）コマンドを受信するための手段
をさらに備える、Ｃ５８に記載の装置。
［Ｃ６０］
前記第１のＡＰとの関連付けを解除することが、データ送信を前記第１のＡＰからセルラーネットワークにオフロードすることを備える、Ｃ５９に記載の装置。
［Ｃ６１］
前記１つまたは複数のＷＬＡＮ  ＡＰについての前記１つまたは複数のメトリックを判断するための手段が、前記ＷＬＡＮ  ＡＰからビーコンまたはプローブ応答中で情報要素（ＩＥ）を受信するための手段を備える、Ｃ４５に記載の装置。
［Ｃ６２］
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、Ｃ４６に記載の装置。
［Ｃ６３］
前記１つまたは複数のＷＬＡＮ  ＡＰが特定のＷＬＡＮチャネルまたはＷＬＡＮ帯域に対応する、Ｃ４５に記載の装置。
［Ｃ６４］
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ４５に記載の装置。
［Ｃ６５］
前記第１のＡＰについての前記メトリックが前記しきい値を超える、Ｃ４５に記載の装置。
［Ｃ６６］
前記サービング基地局がＷＬＡＮおよび無線アクセスネットワーク（ＲＡＮ）インターワーキングをサポートするかどうかを判断するための手段と、
前記サービング基地局がＷＬＡＮおよび無線アクセスネットワーク（ＲＡＮ）インターワーキングをサポートするかどうかを判断した結果に基づいて、送信をＷＬＡＮ  ＡＰと関連付けるかまたは交換する前に前記サービング基地局にアクセスするかどうかを判断するための手段と
をさらに備える、Ｃ４５に記載の装置。
［Ｃ６７］
基地局によるワイヤレス通信のための装置であって、
ユーザ機器（ＵＥ）に、１つまたは複数のワイヤレスローカルエリアネットワーク（ＷＬＡＮ）アクセスポイント（ＡＰ）を測定するようにとの要求を送信するための手段と、
前記ＷＬＡＮ  ＡＰのうちの少なくとも第１のＡＰについての報告を受信するための手段と
を備える、装置。
［Ｃ６８］
前記報告が、前記メトリックのうちの１つまたは複数と前記第１のＡＰの識別子とを備える、Ｃ６７に記載の装置。
［Ｃ６９］
測定するようにとの前記要求が、前記ＷＬＡＮ  ＡＰについての広告のタイミングの指示を備える、Ｃ６７に記載の装置。
［Ｃ７０］
前記報告は、前記ＵＥがすでに前記第１のＡＰに接続されているとの指示を備える、Ｃ６７に記載の装置。
［Ｃ７１］
前記第１のＡＰについての前記報告を受信したときに、データ送信をセルラーネットワークから前記第１のＡＰにオフロードするための無線リソース制御（ＲＲＣ）コマンドを送信するための手段
をさらに備える、Ｃ６７に記載の装置。
［Ｃ７２］
前記ＲＲＣコマンドが前記第１のＡＰの識別子を備える、Ｃ７１に記載の装置。
［Ｃ７３］
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、Ｃ７１に記載の装置。
［Ｃ７４］
オフロードするための前記ＩＰフローまたは前記ＡＰＮトラフィックが、シームレス接続性または非シームレス接続性のうちの１つまたは複数として指定される、Ｃ７３に記載の装置。
［Ｃ７５］
前記シームレス接続性がインターネットプロトコルフローモビリティ（ＩＦＯＭ）または多重アクセスパケットデータネットワーク接続性（ＭＡＰＣＯＮ）を備える、Ｃ７４に記載の装置。
［Ｃ７６］
前記セルラーネットワークから前記第１のＡＰにオフロードされる前記送信が、コアネットワーク（ＣＮ）からの静的ポリシーに基づく、Ｃ７１に記載の装置。
［Ｃ７７］
前記第１のＡＰについての前記報告を受信したときに、データ送信をサービングＷＬＡＮ  ＡＰから前記第１のＡＰにオフロードするための無線リソース制御（ＲＲＣ）コマンドを送信するための手段
をさらに備える、Ｃ６７に記載の装置。
［Ｃ７８］
前記第１のＡＰについての前記報告を受信したときに、前記第１のＡＰに関する追加情報が必要とされるかどうかを判断するための手段と、
前記第１のＡＰに関する追加情報が必要とされると判断したときに、前記ＵＥに、前記追加情報を報告するようにとの構成要求を送信するための手段と
をさらに備える、Ｃ６７に記載の装置。
［Ｃ７９］
前記第１のＡＰが前記基地局とコロケートされている場合、前記第１のＡＰに関する前記追加情報が必要とされない、Ｃ７８に記載の装置。
［Ｃ８０］
前記追加情報が、前記第１のＡＰと前記基地局との間のバックホールリンクを介して取得される、Ｃ７８に記載の装置。
［Ｃ８１］
前記第１のＡＰに関する前記追加情報がサーバから取得される、Ｃ７８に記載の装置。
［Ｃ８２］
前記第１のＡＰについての測定値がしきい値を下回る場合、前記ＷＬＡＮ  ＡＰのうちの前記第１のＡＰの報告を受信するための手段
をさらに備える、Ｃ６７に記載の装置。
［Ｃ８３］
前記第１のＡＰについての前記報告を受信したときに、前記第１のＡＰとの関連付けを解除するための無線リソース制御（ＲＲＣ）コマンドを送信するための手段
をさらに備える、Ｃ８２に記載の装置。
［Ｃ８４］
前記第１のＡＰとの関連付けを解除することが、データ送信を前記第１のＡＰからセルラーネットワークにオフロードすることを備える、Ｃ８３に記載の装置。
［Ｃ８５］
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、Ｃ６８に記載の装置。
［Ｃ８６］
前記１つまたは複数のＷＬＡＮ  ＡＰが特定のＷＬＡＮチャネルまたはＷＬＡＮ帯域に対応する、Ｃ６７に記載の装置。
［Ｃ８７］
前記１つまたは複数のＷＬＡＮ  ＡＰが、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ６７に記載の装置。
［Ｃ８８］
前記第１のＡＰについての測定値がしきい値を超える、Ｃ６７に記載の装置。
［Ｃ８９］
ワイヤレス通信のための装置であって、
サービング基地局から、１つまたは複数のワイヤレスローカルエリアネットワーク（ＷＬＡＮ）アクセスポイント（ＡＰ）を測定するようにとの要求を受信することと、前記要求に基づいて、前記ＷＬＡＮ  ＡＰについての１つまたは複数のメトリックを判断することと、前記ＷＬＡＮ  ＡＰについての前記メトリックをしきい値と比較することと、前記ＷＬＡＮ  ＡＰのうちの少なくとも第１のＡＰを報告することと
を行うように構成された少なくとも１つのプロセッサと、
前記少なくとも１つのプロセッサに結合されたメモリと
を備える、装置。
［Ｃ９０］
ワイヤレス通信のための装置であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することと
を行うように構成された少なくとも１つのプロセッサと、
前記少なくとも１つのプロセッサに結合されたメモリと
を備える、装置。
［Ｃ９１］
ユーザ機器（ＵＥ）によるワイヤレス通信のためのコンピュータプログラム製品であって、
サービング基地局から、１つまたは複数のワイヤレスローカルエリアネットワーク（ＷＬＡＮ）アクセスポイント（ＡＰ）を測定するようにとの要求を受信することと、
前記要求に基づいて前記ＷＬＡＮ  ＡＰについての１つまたは複数のメトリックを判断することと、
前記ＷＬＡＮ  ＡＰについての前記メトリックをしきい値と比較することと、
前記ＷＬＡＮ  ＡＰのうちの少なくとも第１のＡＰを報告することと
を行うための命令を記憶したコンピュータ可読媒体を備える、コンピュータプログラム製品。
［Ｃ９２］
基地局によるワイヤレス通信のためのコンピュータプログラム製品であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することと
を行うための命令を記憶したコンピュータ可読媒体を備える、コンピュータプログラム製品。